【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
無線アクセス技術間測定を報告するための通信ネットワーク（１）のユーザ装置（４）において実行される方法であって、前記通信ネットワーク（１）は第１の無線アクセス技術システム（３）と第２の無線アクセス技術システム（３）とを含み、前記ユーザ装置（４）は前記第１の無線アクセス技術システム（２）の主在圏セルと前記第２の無線アクセス技術システム（３）の補助在圏セルとに同時に接続されてサービスを受けており、前記方法は、
前記第１の無線アクセス技術システム（２）の中で信号強度測定を実行すること（１１０，２１０）と、
前記第２の無線アクセス技術システム（３）の中で信号強度測定を実行すること（１２０，２２０）と、
前記信号強度測定に基づいて、前記第２の無線アクセス技術システム（３）の在圏セルの変更と関連している、または主無線アクセス技術システム（２、３）の変更と関連している測定イベントのための基準が満たされるかどうかを判定すること（１３０，１４５，２３０，２４０）と、
満たされた前記基準について、対応する測定報告を前記通信ネットワーク（１）に送信すること（１５０，２６０）とを含み、前記送信すること（１５０）は、前記第２の無線アクセス技術システム（３）に関連する測定結果を前記第１の無線アクセス技術システム（２）に送信することを含むことを特徴とする方法。
【請求項２】
前記第２の無線アクセス技術システム（３）と関連している測定イベントのための基準が満たされるかどうかを判定すること（１３０）は、前記第２の無線アクセス技術システム（３）上の隣接セルが、前記第２の無線アクセス技術システム（３）の前記補助在圏セルより設定可能なパラメータ分強くなるかどうかを判定することを含むことを特徴とする請求項１に記載の方法。
【請求項３】
前記第２の無線アクセス技術システム（３）中の信号強度測定を実行することは、
前記第２の無線アクセス技術システム（３）中のキャリヤ上の隣接セル信号強度測値を測定することと、
前記第２の無線アクセス技術システム（３）中のキャリヤ上の在圏セル信号強度の測定値を測定することとを含み、
前記第２の無線アクセス技術システム（３）と関連している測定イベントのための基準が満たされるかどうかを判定することは、
隣接セル信号強度測定値を補助在圏セル信号強度測定値と比較することを含むことを特徴とする請求項２に記載の方法。
【請求項４】
前記第１の無線アクセス技術システム（２）と関連した測定イベントのための基準が満たされるかどうかを判定すること（１４０）を含むことを特徴とする請求項１乃至３のいずれか一項に記載の方法。
【請求項５】
前記第２の無線アクセス技術システム（３）上の前記補助在圏セルの信号強度が第１のしきい値より大きく、かつ、前記第１の無線アクセス技術システム（２）上の主在圏セルの信号強度が第２のしきい値より小さいかどうかを判定すること（１４０）を含むことを特徴とする請求項４に記載の方法。
【請求項６】
前記第２の無線アクセス技術システム（３）上の前記補助在圏セルが、前記第１の無線アクセス技術システム（２）の中の前記主在圏セルより設定可能なパラメータ分強いかどうか判定することを含むことを特徴とする請求項４に記載の方法。
【請求項７】
前記第２の無線アクセス技術（３）と関連している測定イベントのための判定基準が満たされるかを判定することは、前記第２の無線アクセス技術システム（３）上の最強セルの信号強度がしきい値より低下するかどうかを判定すること（１４５）を含むことを特徴とする請求項１に記載の方法。
【請求項８】
前記第２の無線アクセス技術システム（３）と関連している測定イベントのための判定基準が満たされるかどうかを判定することは、前記第２の無線アクセス技術システム（３）上の隣接セルが前記第２の無線アクセス技術システム（３）のアクティブセットに追加されるべきであるかどうかを判定すること（２３０）と、前記隣接セルが、前記第２の無線アクセス技術システム（３）上の前記補助在圏セルを置換すべきであるかどうかを判定すること（２４０）と、前記第２の無線アクセス技術システム（３）上の前記補助在圏セルは、前記第２の無線アクセス技術システム（３）のアクティブセットから削除されるべきであるかどうかを判定することの、少なくともいずれかを含むことを特徴とする請求項１に記載の方法。
【請求項９】
第１の無線アクセス技術システム（２）と第２の無線アクセス技術システム（３）とを含む通信ネットワーク（１）のユーザ装置（４）であって、前記ユーザ装置（４）は、前記第１の無線アクセス技術システム（２）の主在圏セルと前記第２の無線アクセス技術システム（３）の補助在圏セルとに同時に接続されてサービスを受けるように構成され、前記ユーザ装置（４）はプロセッサ回路（４０８）を含み、該プロセッサ回路（４０８）は、
前記第１の無線アクセス技術システム（２）の中で信号強度測定を実行し、
前記第２の無線アクセス技術システム（３）の中で信号強度測定を実行し、
前記信号強度測定に基づいて、前記第２の無線アクセス技術システム（３）上の在圏セル変化と関連している測定イベントのための基準が満たされるかどうかを判定し、
満たされた基準に関して、前記第２の無線アクセス技術システム（３）に関連している測定結果を含む、対応する測定報告を前記第１の無線アクセス技術システム（２）に送信するように構成されることを特徴とするユーザ装置。
【請求項１０】
前記プロセッサ回路（４０８）は、前記第２の無線アクセス技術システム（３）上の隣接セルが、前記第２の無線アクセス技術システム（３）上の補助在圏セルより設定可能なパラメータ分強くなるかどうかを判定するよう構成されることを特徴とする請求項９に記載のユーザ装置。
【請求項１１】
前記プロセッサ回路（４０８）は、
前記第２の無線アクセス技術システム（３）中でキャリヤ上の隣接セル信号強度測定値を測定し、
前記第２の無線アクセス技術システム（３）中でキャリヤ上の在圏セル信号強度測定値を測定することで、前記第２の無線アクセス技術システム（３）中で信号強度測定を行うよう構成され、
前記プロセッサ回路（４０８）は、前記隣接セル信号強度測定値を前記在圏セル信号強度測定値と比較することにより、測定イベントの基準が満たされるかどうかを判定するよう構成されることを特徴とする請求項１０に記載のユーザ装置。
【請求項１２】
前記プロセッサ回路（４０８）は、前記第１の無線アクセス技術システム（２）と関連した測定イベントのための基準が満たされるかどうかを判定するようさらに構成されることを特徴とする請求項９または１０または１１に記載のユーザ装置。
【請求項１３】
前記プロセッサ回路（４０８）は、前記第２の無線アクセス技術システム（３）上の前記補助在圏セルの信号強度が第１のしきい値より大きく、かつ、前記第１の無線アクセス技術システム（２）の上の前記主在圏セルの信号強度が第２のしきい値より小さいかどうかを判定するように構成されることを特徴とする請求項１２に記載のユーザ装置。
【請求項１４】
前記プロセッサ回路（４０８）は、前記第２の無線アクセス技術システム（３）上の前記補助在圏セルが前記第１の無線アクセス技術システム（２）中の前記主在圏セルより設定可能なパラメータ分強いかどうかを判定するよう構成されることを特徴とする請求項１２に記載のユーザ装置。
【請求項１５】
前記プロセッサ回路（４０８）は、前記第２の無線アクセス技術システム（３）上の最強セルの信号強度がしきい値より低いかどうかを判定するよう構成されることを特徴とする請求項９に記載のユーザ装置。
【請求項１６】
前記プロセッサ回路（４０８）は、前記第２の無線アクセス技術システム（３）上の隣接セルが、前記第２の無線アクセス技術システム（３）のアクティブセットに追加されるべきかどうかを判定すること、および、前記隣接セルが前記第２の無線アクセス技術システム（３）上で前記補助在圏セルを置換すべきであるかどうかを判定すること、および、前記第２の無線アクセス技術システム（３）上の前記補助在圏セルが前記第２の無線アクセス技術システム（３）のアクティブセットから削除されるべきであるかどうかを判定すること、の少なくともいずれかを行うよう構成されることを特徴とする請求項９に記載のユーザ装置。
【請求項１７】
前記測定イベントは前記在圏セルの変更と関連していることを特徴とする請求項９乃至１６のいずれか一項に記載のユーザ装置。
【請求項１８】
第１の無線アクセス技術システム（２）と第２の無線アクセス技術システム（３）とを含み、ユーザ装置（４）をさらに含む通信ネットワーク（１）のネットワークノードにおいて実行される方法であって、
前記ユーザ装置（４）が、前記第１の無線アクセス技術システム（２）と前記第２の無線アクセス技術システム（３）とに同時に接続してサービスを受けるように、前記第１の無線アクセス技術システム（２）の在圏セルと前記第２の無線アクセス技術システム（３）の補助在圏セルとに対し、前記ユーザ装置（４）とのコネクションを設立すること（３００）と、
前記第２の無線アクセス技術システム（３）と関連している１つ以上の測定イベントによってユーザ装置（４）を設定することと、
前記測定イベントのための判定基準が満たされることに対応するユーザ装置（４）からの測定報告を監視し（３１０）、そして受信することであって、前記測定イベントは、前記第２の無線アクセス技術システム（３）上の在圏セルの変更、または、主無線アクセス技術システム（２、３）の変更に関連しているところのことと、
受信した前記測定報告に従って動作を実行することであって、前記測定報告は前記第２の無線アクセス技術システム（３）と関連していて、前記第１の無線アクセス技術システム（２）経由で受信されるところのことと
を含むことを特徴とする方法。
【請求項１９】
前記設定することは、前記第２の無線アクセス技術システム（３）上の隣接セルが、前記第２の無線アクセス技術システム（３）上の補助在圏セルより設定可能なパラメータ分強いかどうかを判定するための判定基準と測定イベントとによって前記ユーザ装置（４）を設定することを含むことを特徴とする請求項１８に記載の方法。
【請求項２０】
前記設定することは、前記第１の無線アクセス技術システム（２）と関連した測定イベントのための基準が満たされるかどうかを判定するようユーザ装置（４）を設定することを含むことを特徴とする請求項１８または１９に記載の方法。
【請求項２１】
前記設定することは、前記第２の無線アクセス技術システム（３）上の補助在圏セルの信号強度が第１のしきい値より大きく、かつ、前記第１の無線アクセス技術システム（２）上の主在圏セルの信号強度が第２のしきい値より小さいかどうかを判定する（１４０）ための判定基準と測定イベントとによって前記ユーザ装置（４）を設定することを含むことを特徴とする請求項２０に記載の方法。
【請求項２２】
前記設定することは、前記第２の無線アクセス技術システム（３）上の前記補助在圏セルが、前記第１の無線アクセス技術システム（２）中の前記主在圏セルより設定可能なパラメータ分強いかどうかを判定するための判定基準と測定イベントとによってユーザ装置（４）を設定することを含むことを特徴とする請求項２１に記載の方法。
【請求項２３】
前記測定イベントのための判定基準は、前記第２の無線アクセス技術システム（３）上の最強セルの信号強度がしきい値より悪化するかどうか判定すること（１４５）を含むことを特徴とする請求項１８に記載の方法。
【請求項２４】
前記設定することは、前記第２の無線アクセス技術システム（３）上の隣接セルが前記第２の無線アクセス技術システム（３）のアクティブセットに追加されるべきであるかどうかを判定すること（２３０）、および、隣接セルが前記第２の無線アクセス技術システム（３）上で補助在圏セルを置換すべきであるかどうかを判定すること（２４０）、および、前記第２の無線技術アクセスシステム上の前記補助在圏セルが前記第２の無線アクセス技術システム（３）のアクティブセットから削除されるべきであるかどうかを判定すること（２５０）、の少なくともいずれかのための基準と測定イベントとによって前記ユーザ装置（４）を設定することを含むことを特徴とする請求項１８に記載の方法。
【請求項２５】
第１の無線アクセス技術システム（２）と第２の無線アクセス技術システム（３）とを含む通信ネットワーク（１）のネットワークノード（６）であって、前記通信ネットワーク（１）は、前記第１の無線アクセス技術システム（２）の主在圏セルと前記第２の無線アクセス技術システム（３）の補助在圏セルとに接続されているユーザ装置（４）をさらに含み、前記ネットワークノードはプロセッサ回路を含み、該プロセッサ回路は、
前記ユーザ装置（４）が前記第１の無線アクセス技術システム（２）と前記第２の無線アクセス技術システム（３）とに同時に接続してサービスを受けるように、前記第１の無線アクセス技術システム（２）の主在圏セル、および前記第２の無線アクセス技術システム（３）の補助在圏セルへのユーザ装置（４）へのコネクションを設立し、
前記第２の無線アクセス技術システム（３）と関連する１つ以上の測定イベントによって前記ユーザ装置（４）を設定し、
前記測定イベントのための判定基準が満たされることに対応するユーザ装置（４）からの測定報告を監視し、そして受信し、前記測定イベントの判定基準は、前記第２の無線アクセス技術システム（３）上の在圏セルの変更、または、主無線アクセス技術システム（２、３）の変更に関連しており、前記プロセッサ回路（６０１）は、前記測定報告を前記第１の無線アクセス技術システム（２）経由で受信し、
受信した前記測定報告に従って動作を実行するよう構成されたことを特徴とするネットワークノード。
【請求項２６】
前記プロセッサ回路は、請求項１９乃至２４のいずれか一項に記載の方法を実行するように構成されることを特徴とする請求項２５に記載のネットワークノード。